(57)【要約】      （修正有）【課題】両面開きが可能なラゲージケースを提供する。【解決手段】中空の本体部１を含む新型のラゲージケースを開示し、本体部の正面および背面に本体部の内部および外部に連通する正面開口および背面開口がそれぞれ設けられており、正面開口および背面開口に正面カバー２および背面カバー３がそれぞれ配置されており、正面カバーのエッジおよび正面開口のエッジが少なくとも部分的に分離可能に接続され、背面カバーのエッジおよび背面開口のエッジが少なくとも部分的に分離可能に接続され、必要に応じて正面開口か背面開口かを開くことを選択できる。【選択図】図１
0003222457.tif 000002
【実用新案登録請求の範囲】
【請求項１】
中空の本体部を含む新型のラゲージケースであって、
前記本体部の正面および背面に前記本体部の内部および外部に連通する正面開口および背面開口がそれぞれ設けられており、前記正面開口および前記背面開口に正面カバー）および背面カバーがそれぞれ配置されており、前記正面カバーのエッジおよび前記正面開口のエッジが少なくとも部分的に分離可能に接続され、前記背面カバーのエッジおよび前記背面開口のエッジが少なくとも部分的に分離可能に接続され、前記本体部の内部に少なくとも２つの仕切層が設けられており、各仕切層の少なくとも部分的なエッジおよび前記本体部の内壁が分離可能に接続され、
前記正面カバーのエッジおよび前記正面開口のエッジが少なくとも部分的に正面ファスナーを介して分離可能に接続され、前記背面カバーのエッジおよび前記背面開口のエッジが少なくとも部分的に背面ファスナーを介して分離可能に接続され、前記新型のラゲージケースはまた、前記本体部の一方側に設けられており、両側に前記正面ファスナーのスライダーおよび前記背面ファスナーのスライダーに係合するロック孔がそれぞれ設けられているロックボディを含み、各側の前記ロック孔の開閉がそれぞれ２つの駆動機構によって個別に駆動されることを特徴とする新型のラゲージケース。
【請求項２】
前記本体部が鉛直に立ち上がる状態にあるときに側部断面はＴ字状または逆Ｔ字状の構造をしており、前記正面カバーおよび前記背面カバーの形状や大きさはそれぞれ前記正面開口および前記背面開口の形状や大きさにマッチングすることを特徴とする請求項１に記載の新型のラゲージケース。
【請求項３】
前記Ｔ字状または逆Ｔ字状の構造の両側の横部分と縦部分の移行部は丸みを帯びていることを特徴とする請求項２に記載の新型のラゲージケース。
【請求項４】
前記本体部の底部にローラが設けられており、頂部にプルロッドが設けられており、側面にハンドルが設けられていることを特徴とする請求項１から３のいずれか一項に記載の新型のラゲージケース。
【考案の詳細な説明】
【技術分野】
【０００１】
本考案は、ラゲージケースに関し、詳しく言えば、両面開きが可能な新型のラゲージケースに関する。
【背景技術】
【０００２】
ラゲージケースは、スーツケースやトロリーケースとも呼ばれ、旅行中に必要となる衣類、パーソナルケア、および購入した記念品などの品物を詰めるために外出するときに持ち運んでいる箱である。既存のラゲージケースは、一般的に、方体状をしており、箱の中央またはその一面のエッジの周りに開口が設けられており、この開口がファスナーを介して開閉する。このような構造は実際には１つの開口しかなく、開いた後、使用者は一面からしか所要のものを探し開始することができず、体積が比較的大きなラゲージケースの場合、使用が特に不便であり、かつ柔軟性が乏しい。
【考案の概要】
【考案が解決しようとする課題】
【０００３】
従来技術の問題点に鑑み、本考案は、両面からラゲージケースを開くことができ、より便利、かつ柔軟に使用できる新型のラゲージケースを提供することを目的とする。
【課題を解決するための手段】
【０００４】
上記目的を達成するため、本考案では以下のような技術的解決手段を採っている。
【０００５】
新型のラゲージケースであって、中空の本体部を含み、前記本体部の正面および背面に前記本体部の内部および外部に連通する正面開口および背面開口がそれぞれ設けられており、前記正面開口および前記背面開口に正面カバーおよび背面カバーがそれぞれ配置されており、前記正面カバーのエッジおよび正面開口のエッジが少なくとも部分的に分離可能に接続され、前記背面カバーのエッジおよび背面開口のエッジが少なくとも部分的に分離可能に接続される。
【０００６】
さらに、前記正面カバーのエッジおよび正面開口のエッジが少なくとも部分的に正面ファスナーを介して分離可能に接続され、前記背面カバーのエッジおよび背面開口のエッジが少なくとも部分的に背面ファスナーを介して分離可能に接続される。
【０００７】
よりさらに、前記新型のラゲージケースはまた、前記本体部の一方側に設けられており、両側に前記正面ファスナーのスライダーおよび背面ファスナーのスライダーに係合するロック孔がそれぞれ設けられているロックボディを含み、各側のロック孔の開閉がそれぞれ２つの駆動機構によって個別に駆動される。
【０００８】
さらに、前記本体部が鉛直に立ち上がる状態にあるときに側部断面はＴ字状または逆Ｔ字状の構造をしており、前記正面カバーおよび背面カバーの形状や大きさはそれぞれ正面開口および背面開口の形状や大きさにマッチングする。
【０００９】
よりさらに、前記Ｔ字状または逆Ｔ字状の構造の両側の横部分と縦部分の移行部は丸みを帯びている。
【００１０】
さらに、前記本体部の内部に少なくとも２つの仕切層が設けられており、各仕切層の少なくとも部分的なエッジおよび前記本体部の内壁が分離可能に接続される。
【００１１】
さらに、前記本体部の底部にローラが設けられており、頂部にプルロッドが設けられており、側面にハンドルが設けられている。
【考案の効果】
【００１２】
１、本考案を使用する場合、必要に応じて正面開口か背面開口かを開くことを選択できるので、手元の面から所要のものを探すことができ、より柔軟、かつ便利に使用できる。
２、本体部の内部空間が必要に応じて異なる割合で分割でき、柔軟に使用でき、空間が最も効果的に利用され得る。
【図面の簡単な説明】
【００１３】
【図１】本考案の実施例の右側面を示す模式図である。
【図２】図１の本体部の左側面を示す模式図である。
【図３】本考案の実施例の正面を示す模式図である。
【図４】本考案の実施例の背面を示す模式図である。
【図５】本考案の実施例の本体部の内部構造を示す模式図である。
【考案を実施するための形態】
【００１４】
以下、図面を参照しつつ、本考案についてさらに説明する。なお、以下の実施例は本技術的解決手段を前提として、詳細な実施形態および具体的な操作手順を示しているが、本考案の保護範囲は本実施例に限定されるものではない。
【００１５】
図１〜図５に示すように、新型のラゲージケースであって、中空の本体部１を含み、本体部１の正面および背面に本体部１の内部および外部に連通する正面開口１１および背面開口１２がそれぞれ設けられており、正面開口１１および背面開口１２に正面カバー２および背面カバー３がそれぞれ配置されており、正面カバー２のエッジおよび正面開口１１のエッジが少なくとも部分的に分離可能に接続され、背面カバー３のエッジおよび背面開口１２のエッジが少なくとも部分的に分離可能に接続される。
【００１６】
使用する場合、必要に応じて正面開口か背面開口かを開くことを選択できるので、手元の面から所要のものを探すことができ、より柔軟、かつ便利に使用できる。
【００１７】
実際に応用する場合、正面カバー２および正面開口１１、背面カバー３および背面開口１２の部分的なエッジが分離可能に接続され、残りのエッジが分離不能に接続されるように設置されてもよく、具体的には正面開口を完全に開くことができることを基準とする。本実施例では、正面カバー２および正面開口１１、背面カバー３および背面開口１２において位置が対応する３本のエッジが分離可能に接続され、位置が対応する残りの１本のエッジの一部が分離可能に接続され、他の部分が分離不能に接続されるように設置されている。当然のことながら、正面カバー２および正面開口１１、背面カバー３および背面開口１２の全てのエッジが分離可能に接続されるように設置されてもよい。
【００１８】
本実施例では、正面カバー２のエッジおよび正面開口１１のエッジが少なくとも部分的に正面ファスナー５を介して分離可能に接続され、背面カバー３のエッジおよび背面開口１２のエッジが少なくとも部分的に背面ファスナー６を介して分離可能に接続される。
【００１９】
ファスナーを介して正面カバーおよび正面開口、背面カバーおよび背面開口を接続するほか、正面カバーおよび正面開口、背面カバーおよび背面開口の接続を実現するために、正面カバーおよび正面開口のエッジ、背面カバーおよび背面開口のエッジに分離可能に接続されている（例えば係止などの方式）金属またはプラスチック枠をそれぞれ設置するという方式を採用してもよい。
【００２０】
さらに、本実施例では、前記新型のラゲージケースはまた、本体部１の一方側に設けられており、両側に正面ファスナー５のスライダー２１および背面ファスナー６のスライダー３１に係合するロック孔がそれぞれ設けられているロックボディ４を含み、各側のロック孔の開閉がそれぞれ２つの駆動機構によって個別に駆動される。使用する場合、正面ファスナーおよび背面ファスナーを同時にロックしてもよいし、正面ファスナーおよび背面ファスナーのロック解除を任意選択してもよい。
【００２１】
片側のロック孔および駆動機構は、既存のラゲージケースに一般的に使用されているファスナースライダーロック機構を採用でき、整合によって一体となる前記ロックボディとなる。
【００２２】
さらに、本体部１が鉛直に立ち上がる状態にあるときに側部断面はＴ字状または逆Ｔ字状の構造をしており、正面カバー２および背面カバー３の形状や大きさはそれぞれ正面開口１１および背面開口１２の形状や大きさにマッチングする。
【００２３】
本実施例では、図２に示すように、本体部１が鉛直に立ち上がる状態にあるときに側部断面は逆Ｔ字状の構造をしている。
【００２４】
本実施例では、図１に示すように、正面カバー２および背面カバー３がそれぞれ正面開口および背面開口に結合するとき、本体部１、正面カバー２および背面カバー３は組み合わせて方体状を形成する。しかしながら、方体状に限定されず、角体、円柱体などの様々な合理的な形状でもよい。
【００２５】
さらに、前記Ｔ字状または逆Ｔ字状の構造の両側の横部分と縦部分の移行部は丸みを帯びている。
【００２６】
よりさらに、本体部１の底部にローラ７が設けられており、頂部にプルロッド８が設けられており、側面にハンドル９が設けられている。
【００２７】
本実施例では、図５に示すように、本体部１の内部に少なくとも２つの仕切層が設けられており、各仕切層の少なくとも部分的なエッジおよび前記本体部の内壁が分離可能に接続される。
【００２８】
なお、少なくとも２つの仕切層が設けられており、各仕切層の少なくとも部分的なエッジおよび本体部の内壁が分離可能に接続されることにより、必要に応じて本体部が異なる割合の空間に分割されることを実現することができる。
【００２９】
例えば、図５に示すように、２つの仕切層１３、１４が設けられてもよく、一方の仕切層１３によって本体部１の内部が３：７の２つの空間に分割され、他方の仕切層１４によって本体部の内部が１：１の２つの空間に分割され、分割された空間がそれぞれ正面開口および背面開口に連通する。一方の仕切層１３が剥がされ、他方の仕切層１４が本体部に接続されると、本体部は他方の仕切層１４によって１：１の２つの空間に分割され、逆に、他方の仕切層１４が剥がされ、一方の仕切層１３が本体部１に接続されると、一方の仕切層１３によって本体部１の内部は３：７の２つの空間に分割される。全ての仕切層が剥がされると、本体部１の内部は完全な空間になる。
【００３０】
上記の設計によって、顧客からの様々な使用上の要求を柔軟に満たすことができ、それによってラゲージケースの内部空間を最大限に利用することができる。
【００３１】
本実施例では、仕切層１３、１４の一辺のエッジおよび本体部１の内壁が分離不能に接続され、残りのエッジがいずれも本体部１の内壁に分離可能に接続される。当然のことながら、仕切層１３、１４の全てのエッジが本体部１の内壁に分離可能に接続されるように設置されてもよい。前記分離可能な接続の方式は従来のようにファスナー、スナップフィットなどの方式を採用してもよい。
【００３２】
当業者であれば以上の技術的解決手段および技術的思想にしたがって、様々な変更および修正を加えることができ、それらの変更および修正は、全て本実用新案登録請求の範囲に含まれるべきである。
【図１】
0003222457.tif 000003
【図２】
0003222457.tif 000004
【図３】
0003222457.tif 000005
【図４】
0003222457.tif 000006
【図５】
0003222457.tif 000007